(57)【要約】【課題】温熱治療装置を複雑化・大型化させることなく、人体への負担を軽減しつつ癌組織への効率的な加熱を実現できる、温熱治療装置用の誘導体および温熱治療装置を提供する。【解決手段】本発明の誘導体５は、人体２に含まれる加熱対象を加熱する温熱治療装置１に用いられる誘導体５であって、絶縁領域７と、非絶縁領域８と、を備え、絶縁領域７は、温熱治療装置１が照射する高周波信号を人体３に対して遮蔽し、非絶縁領域８は、温熱治療装置１が照射する高周波信号を人体２に透過し、絶縁領域７および非絶縁領域８の組み合わせは、加熱対象に、高周波信号を導入する。【選択図】図１
2012223302.tif 000002
【特許請求の範囲】
【請求項１】
人体に含まれる加熱対象を加熱する温熱治療装置に用いられる誘導体であって、
絶縁領域と、
非絶縁領域と、を備え、
前記絶縁領域は、前記温熱治療装置が照射する高周波信号を前記人体に対して遮蔽し、前記非絶縁領域は、前記温熱治療装置が照射する高周波信号を前記人体に透過し、
前記絶縁領域および前記非絶縁領域の組み合わせは、前記加熱対象に、前記高周波信号を導入する誘導体。
【請求項２】
前記非絶縁領域は、前記絶縁領域に囲まれて形成される領域および前記絶縁領域の外側に生じる領域の少なくとも一方を含む、請求項１記載の誘導体。
【請求項３】
前記人体を、相互に直交するＸ軸、Ｙ軸およびＺ軸の３次元で把握する場合に、
前記非絶縁領域は、前記Ｘ軸および前記Ｙ軸で構成される二次元平面で、前記人体に含まれる加熱対象と対向し、
前記Ｘ軸は、前記人体の横方向に沿っており、前記Ｙ軸は、前記人体の身長方向に沿っており、前記Ｚ軸は、前記人体の厚み方向に沿っている、請求項１又は２記載の誘導体。
【請求項４】
前記絶縁領域は、絶縁機能を有する複数の絶縁部材を備え、前記複数の絶縁部材の組み合わせによって、前記非絶縁領域が形成される、請求項１から３のいずれか記載の誘導体。
【請求項５】
前記非絶縁領域は、形状、面積および位置の少なくとも一つが可変である、請求項４記載の誘導体。
【請求項６】
前記誘導体は、第１誘導部材および第２誘導部材を備え、
前記第１誘導部材は、前記人体の表面に対向するように配置され、前記第２誘導部材は、前記人体の裏面に対向するように配置され、
前記第１誘導部材の絶縁領域の少なくとも一部は、前記第２誘導部材の非絶縁領域の少なくとも一部と、前記人体を介して対向する、請求項１から５のいずれか記載の誘導体。
【請求項７】
前記第１誘導部材の非絶縁領域は、前記第２誘導部材の絶縁領域と、前記人体を介して対向し、
前記第１誘導部材の絶縁領域は、前記第２誘導部材の非絶縁領域と、前記人体を介して対向する、請求項６記載の誘導体。
【請求項８】
前記第１誘導部材および前記第２誘導部材の少なくとも一方は、前記温熱治療装置による治療中に、それぞれの非絶縁領域の位置を移動可能である、請求項６又は７記載の誘導体。
【請求項９】
前記非絶縁領域の位置は、（１）前記温熱治療装置からの高周波信号の照射中、（２）前記温熱治療装置からの高周波信号の停止中、のいずれかにおいて、移動可能である、請求項８記載の誘導体。
【請求項１０】
前記第１誘導部材および前記第２誘導部材の少なくとも一方は、それぞれの前記非絶縁領域の位置を、Ｘ軸およびＹ軸で特定される平面に沿って、移動可能である、請求項８又は９記載の誘導体。
【請求項１１】
請求項１から１０のいずれか記載の誘導体と、
前記誘導体を設置および移動の少なくとも一方を行う制御部と、を備える温熱治療装置。
【請求項１２】
前記誘導体を介して人体に高周波信号を照射可能な電極および前記電極と前記人体との間に設けられる冷却部材の少なくとも一方を更に備える、請求項１１記載の温熱治療装置。
【発明の詳細な説明】
【技術分野】
【０００１】
本発明は、癌などの腫瘍を治療するための温熱治療（ハイパーサーミアともいう）を行う温熱治療装置に用いる誘導体であって、癌などの治療対象のみの温度上昇を促す誘導体およびこの誘導体を用いる温熱治療装置に関する。
【背景技術】
【０００２】
癌の治療においては、癌組織を切除する外科治療、抗がん剤を用いる化学治療、放射線を癌組織に照射する放射線治療、身体の免疫力を高める免疫治療などが存在する。これらの治療方法は、それぞれに長所や短所があるが、人体への負担が大きかったり、癌の進行度合いによっては適用が困難であったりなどの問題があった。
【０００３】
このような状況において、癌組織の温度を上昇させて癌組織を死滅させる温熱治療が注目されている。このような温熱治療は、ハイパーサーミアとも言われ、癌組織は正常組織と異なり熱に弱いという特性を利用している。正常組織は、多数の毛細血管を有しているため、加熱される場合でも、毛細血管の拡張や血流の増加によって加熱によって受けた熱を放出することができる。一方、癌組織は、毛細血管を有していないか、有していても少なくまた血管の拡張ができないため、加熱によって受けた熱を放出することができない。このため、癌組織は、４１．５℃から４４℃程度の熱で死滅することが知られている。
【０００４】
温熱治療は、人体の表面と裏面を電極ではさみ、一方の電極から他方の電極へ高周波信号を照射することで、人体内部にある癌組織の温度を上昇させる。このとき、高周波信号が照射されている人体表面および内部では、癌組織の周辺も含めて温度が上昇するが、正常組織は血管拡張による放熱によって温度上昇を抑制できる。一方、癌組織のみが温度上昇を抑制できず、その温度が上昇する。この結果、癌組織が死滅もしくは減少する。実際には、この温熱治療と外科治療などが併用されて、癌組織を切除できる。
【０００５】
温熱治療は、人体の表面と裏面に電極を設置して、電極同士での高周波信号照射のみで行えるので、化学治療や放射線治療のような副作用もなく、外科治療における手術中におけるリスクも少ない。このため、温熱治療に対する将来性の高さが期待されている。
【０００６】
この温熱治療の基本構成は、上述の通り、人体の表面と裏面に設置される電極である。この電極からの高周波信号の照射による加熱が温熱治療の仕組みであるが、（１）加熱対象となる癌組織以外の部位に対する加熱が避けられないことによる人体への負担、（２）加熱対象となる癌組織における加熱と温度上昇の不足、という２点が大きな課題であった。
【０００７】
このような２つの課題を解決する温熱治療についての、いくつかの技術的提案がなされている（例えば、特許文献１、特許文献２参照）。
【先行技術文献】
【特許文献】
【０００８】
【特許文献１】特開１９８８−１８９１４９号公報
【特許文献２】特表２００７−５３６０１６号公報
【発明の概要】
【発明が解決しようとする課題】
【０００９】
特許文献１は、温熱治療を行うハイパーサーミア装置であって、熱電効果を発生させる密着型アプリケータとこの熱電効果に対する冷却機能を有する冷却装置とを有するハイパーサーミア装置を開示する。ハイパーサーミア装置は、温熱治療のために、熱電効果によって人体に含まれる癌組織の温度上昇を促す加熱を行う。特許文献１の技術は、この加熱の際に人体への加熱負担を減少させるために、冷却装置を用いている。すなわち、特許文献１は、従来技術での課題（１）を解決しようというアプローチを有している。
【００１０】
しかしながら、熱電効果を生じさせる密着型アプリケータが癌組織以外の人体を加熱することには変わりがなく、冷却装置によってこれを減少させることは根本的な解決ではない。密着型アプリケータによって癌組織以外の人体部分が加熱されることを回避できるわけではなく、加熱するそばから冷却しているに過ぎないからである。また、冷却装置の設置位置や設置状態によっては、加熱そのものに悪影響を与える可能性も生じる。この場合には、癌組織そのものの加熱も不十分となってしまい、温熱治療の効果が十分に発揮されない可能性がある。すなわち、従来技術での課題（１）を根本的に解決できないだけでなく、従来技術の課題（２）も解決困難である。
【００１１】
特許文献２は、癌組織に集中的に高周波信号を与える工夫を有するハイパーサーミア装置を開示する。例えば、特許文献２のハイパーサーミア装置は、高周波信号の周波数を多元的にしたり、様々な部材を組み合わせたりすることで、癌組織への高周波信号の取り込みを可能にすることを企図している。すなわち、特許文献２は、従来技術の課題（２）を解決するアプローチを有している。
【００１２】
しかしながら、特許文献２のハイパーサーミア装置は、癌組織に高周波信号を集中的に与えるために、様々な装置、付属品、部材、操作手順などを必要としており、装置が大型化および複雑化する問題がある。がん治療においては、温熱治療のみが行われることが想定されているよりも、温熱治療と他の治療方法（例えば外科治療）とを組み合わせることが想定されている。
【００１３】
このような組み合わせ治療において、温熱治療に用いられるハイパーサーミア装置が複雑化・大型化することは、治療全体のコストを引き上げたり、治療全体の作業を複雑化したりして、患者の治療にとってはデメリットが生じうる。
【００１４】
このため、特許文献２は、治療全体へのコスト上昇をもたらす問題も有している。
【００１５】
また、特許文献２は、絶縁体を用いることを開示しているが、この絶縁体は、高周波信号を発信する電極から受信する電極に伝播させるための要素である。しかしながら、絶縁体を用いるだけでは、従来技術における課題（２）にあるように、癌組織だけに加熱を集中させることが困難である。当然ながら、課題（１）に示される人体への負担軽減を実現することも困難である。
【００１６】
以上のように、従来技術や特許文献１、２などによる技術においては、治療全体のコストを低下させつつ、人体への負担軽減と癌組織への効率的な加熱のバランスを確保することが困難であった。また、人体は厚み方向を有しており、加熱対象となる癌組織などは、この厚み方向での位置は様々である。この厚み方向での位置に合わせて高周波信号を加熱対象に到達させるには、電極の大きさや形状を治療の際に変更する必要があり、医師の熟練が必要となっていた。治療時間も長くなってしまい、患者への精神的な負担も大きい問題があった。
【００１７】
本発明は、上記課題に鑑み、温熱治療装置を複雑化・大型化させることなく、人体への負担を軽減しつつ癌組織への効率的な加熱を実現できる、温熱治療装置用の誘導体および温熱治療装置を提供することを目的とする。
【課題を解決するための手段】
【００１８】
上記課題に鑑み、本発明の誘導体は、人体に含まれる加熱対象を加熱する温熱治療装置に用いられる誘導体であって、絶縁領域と、非絶縁領域と、を備え、絶縁領域は、温熱治療装置が照射する高周波信号を人体に対して遮蔽し、非絶縁領域は、温熱治療装置が照射する高周波信号を人体に透過し、絶縁領域および非絶縁領域の組み合わせは、加熱対象に、高周波信号を導入する。
【発明の効果】
【００１９】
本発明の誘導体は、人体に含まれる癌組織を中心に加熱するとともに、癌組織に関係のない人体への加熱の負担を減少させることができる。
【００２０】
また、癌組織は人体の内部に存在していることがほとんどであるが、本発明の誘導体は、人体を二次元的に把握した場合に癌組織への加熱を集中させることも可能であり、人体を三次元的に把握した場合に癌組織への加熱を集中させることも可能である。
【００２１】
更に、本発明の誘導体は、絶縁性を有する部材を用いるだけで構成できるので、コストや作業負担が少なくなり、温熱治療の治療コスト（すなわちがん治療のコスト）を低減させることもできる。
【図面の簡単な説明】
【００２２】
【図１】本発明の実施の形態１における温熱治療装置の使用状態を示す模式図である。
【図２】本発明の実施の形態１における誘導体の正面図である。
【図３】本発明の実施の形態１における誘導体の正面図である。
【図４】本発明の実施の形態１における人体の模式図である。
【図５】本発明の実施の形態１における誘導体の配置状態を示す模式図である。
【図６】本発明の実施の形態１における温熱治療装置の別態様を示す模式図である。
【図７】本発明の実施の形態２における温熱治療装置の模式図である。
【図８】本発明の実施の形態２における誘導部材の正面図である。
【図９】本発明の実施の形態２における誘導部材の移動を示す模式図である。
【図１０】本発明の実施の形態２における温熱治療装置の模式図である。
【図１１】本発明の実施の形態２における温熱治療装置の模式図である。
【図１２】本発明の実施の形態２における温熱治療装置の模式図である。
【図１３】本発明の実施の形態３における温熱治療の状態を示す説明図である。
【図１４】実験その１における実験態様を示す模式図である。
【図１５】、実験その１における位置（１）〜（５）のそれぞれの温度上昇を示す表である。
【図１６】図１５の表に対応するグラフである。
【図１７】実験その２の態様を示す模式図である。
【図１８】実験その２における位置（１）〜（５）のそれぞれの温度上昇を示す表である。
【図１９】図１８の表に対応するグラフである。
【図２０】比較例での実験状態を示す模式図である。
【図２１】比較例における結果を示す表である。
【図２２】図２１に対応するグラフである。
【発明を実施するための形態】
【００２３】
本発明の第１の発明に係る誘導体は、人体に含まれる加熱対象を加熱する温熱治療装置に用いられる誘導体であって、絶縁領域と、非絶縁領域と、を備え、絶縁領域は、温熱治療装置が照射する高周波信号を人体に対して遮蔽し、非絶縁領域は、温熱治療装置が照射する高周波信号を人体に透過し、絶縁領域および非絶縁領域の組み合わせは、加熱対象に、高周波信号を導入する。
【００２４】
この構成により、誘導体は、加熱対象のみに高周波信号を集中させることができる。結果として、温熱治療装置による温熱治療において、人体への負担やストレスを最小化すると共に加熱対象を集中して発熱させることができる。更に、誘導体により高周波信号の到達度の調整が可能なため、温熱治療装置の電極の交換が不要である。
【００２５】
本発明の第２の発明に係る誘導体では、第１の発明に加えて、非絶縁領域は、絶縁領域に囲まれて形成される領域および絶縁領域の外側に生じる領域の少なくとも一方を含む。
【００２６】
この構成により、誘導体は、部材として形成される非絶縁領域だけでなく部材の外側に生じる非絶縁領域をも用いて、高周波信号を効率的に加熱対象に誘導することができる。
【００２７】
本発明の第３の発明に係る誘導体では、第１又は第２の発明に加えて、人体を、相互に直交するＸ軸、Ｙ軸およびＺ軸の３次元で把握する場合に、非絶縁領域は、Ｘ軸およびＹ軸で構成される二次元平面で、人体に含まれる加熱対象と対向し、Ｘ軸は、人体の横方向に沿っており、Ｙ軸は、人体の身長方向に沿っており、Ｚ軸は、人体の厚み方向に沿っている。
【００２８】
この構成により、誘導体は、加熱対象に集中して高周波信号を誘導できる。
【００２９】
本発明の第４の発明に係る誘導体では、第１から第３のいずれかの発明に加えて、絶縁領域は、絶縁機能を有する複数の絶縁部材を備え、複数の絶縁部材の組み合わせによって、非絶縁領域が形成される。
【００３０】
この構成により、絶縁領域と非絶縁領域の組み合わせや形状を、フレキシブルに形成することができる。
【００３１】
本発明の第５の発明に係る誘導体では、第４の発明に加えて、非絶縁領域は、形状、面積および位置の少なくとも一つが可変である。
【００３２】
この構成により、誘導体は、加熱対象の形状、大きさ、位置に合わせて、非絶縁領域を変化させることができる。
【００３３】
本発明の第６の発明に係る誘導体では、第１から第５のいずれかの発明に加えて、誘導体は、第１誘導部材および第２誘導部材を備え、第１誘導部材は、人体の表面に対向するように配置され、第２誘導部材は、人体の裏面に対向するように配置され、第１誘導部材の絶縁領域の少なくとも一部は、第２誘導部材の非絶縁領域の少なくとも一部と、人体を介して対向する。
【００３４】
この構成により、誘導体は、加熱対象に対して、様々な角度から三次元的に高周波信号を誘導することができる。
【００３５】
本発明の第７の発明に係る誘導体では、第６の発明に加えて、第１誘導部材の非絶縁領域は、第２誘導部材の絶縁領域と、人体を介して対向し、第１誘導部材の絶縁領域は、第２誘導部材の非絶縁領域と、人体を介して対向する。
【００３６】
この構成により、誘導体は、加熱対象に対して人体の厚み方向と交差する角度をもって、高周波信号を誘導できる。
【００３７】
本発明の第８の発明に係る誘導体では、第６または第７の発明に加えて、第１誘導部材および第２誘導部材の少なくとも一方は、温熱治療装置による治療中に、それぞれの非絶縁領域の位置を移動可能である。
【００３８】
この構成により、誘導体は、非加熱対象である人体の表面が発熱することによる生体負担を抑え、標的とする加熱対象だけを選択的に加熱することができる。また、加熱対象への加熱は継続されるが、人体表面での加熱される部位は変化していくので、人体表面への加熱ストレスが低減できる。
【００３９】
本発明の第９の発明に係る誘導体では、第８の発明に加えて、非絶縁領域の位置は、（１）温熱治療装置からの高周波信号の照射中、（２）温熱治療装置からの高周波信号の停止中、のいずれかにおいて、移動可能である、請求項８記載の誘導体。
【００４０】
この構成により、治療の態様に応じて非絶縁領域を移動でき、人体への負担を軽減しつつも加熱対象の集中的な発熱を可能とする。
【００４１】
本発明の第１０の発明に係る誘導体では、第８又は第９の発明に加えて、第１誘導部材および第２誘導部材の少なくとも一方は、それぞれの非絶縁領域の位置を、Ｘ軸およびＹ軸で特定される平面に沿って、移動可能である。
【００４２】
この構成により、誘導体は、加熱対象へ、様々な角度や位置から高周波信号を誘導できるとともに、非加熱対象部位における発熱を抑えることができる。
【００４３】
本発明の第１１の発明に係る温熱治療装置は、第１から第１０のいずれかの誘導体と、誘導体を設置および移動の少なくとも一方を行う制御部と、を備える。
【００４４】
この構成により、温熱治療装置は、誘導体を移動させながら治療を行える。
【００４５】
本発明の第１２の発明に係る温熱治療装置では、第１１の発明に加えて、誘導体を介して人体に高周波信号を照射可能な電極および電極と人体との間に設けられる冷却部材の少なくとも一方を更に備える。
【００４６】
この構成により、温熱治療装置は、人体への負担を軽減しつつ高周波による加熱を行うことができる。
【００４７】
以下、図面を用いて、本発明の実施の形態について説明する。
【００４８】
（実施の形態１）
【００４９】
実施の形態１について説明する。
（全体概要）
まず、実施の形態１における誘導体の全体概要を、図１を用いて説明する。
【００５０】
図１は、本発明の実施の形態１における温熱治療装置の使用状態を示す模式図である。温熱治療装置は、電極より人体に対して高周波信号を付与することで人体に含まれる癌組織を死滅させる。このような温熱治療装置は、実際の医療現場において用いられており、外科治療や化学治療などと共にがん治療に対する期待が掛けられている。
【００５１】
図１では、人体２の表面と裏面のそれぞれに、電極や食塩水ボーラスが設置されている状態を示している。このため、電極、食塩水ボーラス、冷却用食塩水ボーラスなどのそれぞれの要素について、便宜上、第１、第２との名称を付している。
【００５２】
温熱治療装置１は、人体２の内部に含まれる加熱対象である癌組織１０を加熱して、癌組織１０を死滅させることを目的としている。
【００５３】
温熱治療装置１は、人体２の上下に第１電極３Ａ、第２電極３Ｂを設置して、第１電極３Ａと第２電極３Ｂとの間に高周波信号を流す。第１電極３Ａの下層（人体２に近い側）には、第１食塩水ボーラス４Ａが設置される。第１食塩水ボーラス４Ａは、第１電極３Ａと人体２との直接的な接触を防止する。第１食塩水ボーラス４Ａの下層（人体２に近い側）には、誘導体５が設置される。更に誘導体５の下層（人体２に近い側）には、第１冷却用食塩水ボーラス６Ａが設置される。第１冷却用食塩水ボーラス６Ａは、人体２を冷却し、温熱治療において癌組織１０以外の部位の温度上昇での負担を軽減する。人体２に含まれる癌組織１０が、加熱対象である。もちろん、加熱対象は癌組織１０だけでなく、温熱治療によって治療を必要とする他の要素も含むものである。
【００５４】
以上は、人体２の表面側の構成であるが、人体２の裏面も同じような要素の積層で構成される。第２電極３Ｂの上層（人体２に近い側）には、第２食塩水ボーラス４Ｂが設置される。第２食塩水ボーラス４Ｂは、第１食塩水ボーラス４Ａと同様に、第２電極３Ｂと人体２との直接的な接触を防止する。更に、必要に応じて第２冷却用食塩水ボーラス６Ｂが設置される。第２冷却用食塩水ボーラス６Ｂは、人体２を冷却し、温熱治療において癌組織１０以外の部位の温度上昇での負担を軽減する。なお、第２冷却用食塩水ボーラス６Ｂは、第２食塩水ボーラス４Ｂと兼用されてもよい。
【００５５】
第１電極３Ａから照射される高周波信号は、第１食塩水ボーラス４Ａなどを通過して、誘導体５によって加熱対象である癌組織１０に誘導される。誘導体５は、絶縁領域７と非絶縁領域８を有しており、この絶縁領域７と非絶縁領域８の組み合わせが、高周波信号を加熱対象に集中的に誘導しつつ、加熱対象以外への高周波信号の誘導を抑制する。この結果、誘導体５を用いた温熱治療装置１は、加熱対象のみを発熱させて、加熱対象となる癌組織１０を死滅させる治療を行える。
【００５６】
このような加熱対象を集中的に発熱できるのは、絶縁領域７は高周波信号を遮蔽し、非絶縁領域８は高周波信号を通過させる特徴を有しており、絶縁領域７と非絶縁領域８の組み合わせが、高周波信号を加熱対象に集中的に誘導できるからである。
【００５７】
なお、符号に用いている「Ａ」、「Ｂ」のそれぞれは、「第１」、「第２」に対応して付されており、第１、第２に対応しない場合には、同一の要素の符号は、数字だけの符号で示される。例えば、電極については、（第１電極、第２電極を特段に区別しないか、両方を包含して意味する場合）電極３として表されるものとする。
【００５８】
（高周波信号の通過）
図１に基づいて、高周波信号の通過を説明する。図１に示される破線は、高周波信号の通過を示している。
【００５９】
第１電極３Ａから照射された高周波信号は、第１食塩水ボーラス４Ａを通過して、誘導体５に到達する。誘導体５は、絶縁領域７を有しているので、高周波信号は、この絶縁領域７で遮蔽されて非絶縁領域８を通過するようになる。すなわち、破線のように、高周波信号はねじれて進む上に、非絶縁領域８に集中しやすくなる。
【００６０】
非絶縁領域８に集中した高周波信号は、第１冷却用食塩水ボーラス６Ａを通過して、そのまま非絶縁領域８と対向する癌組織１０に集中して到達する。この高周波信号は、そのまま第２冷却用食塩水ボーラス６Ｂおよび第２食塩水ボーラス４Ｂを通過して、第２電極３Ｂに到達する。この高周波信号の通過は、図１の破線に示されるとおりである。すなわち、癌組織１０に高周波信号が集中して通過する。
【００６１】
高周波信号が癌組織１０に集中することで、癌組織１０は高い発熱を生じる。一方、癌組織１０以外の部位においては、到達する（通過する）高周波信号が少ないため、発熱は抑えられる。これは人体２の表面でも同様である。これらの結果、人体２への負担やストレスは抑制されつつ、加熱対象のみを集中して発熱させて、癌組織１０の効果的な治療が可能となる。
【００６２】
このように実施の形態１における誘導体５は、患者への負担を最小限にしつつ、癌組織１０を死滅させるための効率的な温熱治療を可能とする。
【００６３】
誘導体５は、絶縁領域７と非絶縁領域８の組み合わせだけで、高周波信号を過熱対象に主として導入することができるので、現在使用されている温熱治療装置に容易に設置（導入）可能である。このため、温熱治療装置のコストアップや温熱治療装置を用いた温熱治療の負担増加を生じさせないで済む。
【００６４】
誘導体５は、既に市販されている温熱治療装置のオプションとして流通されても良いし、温熱治療装置に組み込まれた状態で流通されても良い。いずれにしても、既存の温熱治療装置における温熱治療の効果を高めることができる。コストアップにもならないので、外科治療や化学治療などとの組み合わせも可能であり、総合的ながん治療にとっても、誘導体５は、高いプラスメリットをもたらす。
【００６５】
次に、各部の詳細について説明する。
【００６６】
（電極）
電極３は、誘導体５を直接的に構成する要素ではないが、温熱治療装置１の必要な要素である。
【００６７】
電極３は、高周波信号を人体２（人体２に直接だけでなく、他の要素を介することも含む）に照射する。図１における第１電極３Ａと第２電極３Ｂとの間に、高周波信号が伝播する。例えば第１電極３Ａが高周波信号を出力し、第２電極３Ｂがこの出力された高周波信号を受信する。このため、第１電極３Ａおよび第２電極３Ｂのそれぞれには、高周波信号となる電流を供給する電源や電源から接続される導電経路が備わっている。
【００６８】
このため、電極３は、高周波信号を照射する照射部であると把握できる。
【００６９】
高周波信号は、所定の範囲の周波数を有していればよく、一般的に高周波帯域に含まれる周波数であればよい。一例として、３ＭＨｚ〜３００ＭＨｚの高周波帯域や３００ＭＨｚから数ＧＨｚのマイクロ波帯域などに含まれる周波数を、高周波信号は有していればよい。なお、本発明においては、高周波信号を加熱対象である癌組織に導入することが本質であり、いかなる周波数を有する高周波信号が用いられるかは、実際に使用される温熱治療装置１の仕様や特性に依存すれば良く、特段に特定する必要はない。
【００７０】
例えば、市販されている温熱治療装置は、電極からの高周波信号の周波数として、８ＭＨｚを採用している。この周波数に特定されるものではないが、８ＭＨｚ前後の周波数は、簡便な電子回路で発生させることができ、加熱と人体への負担とのバランスも高いからである。加えて、人体の加熱においては、８ＭＨｚ前後の周波数が適当であるからである。もちろん、周波数を変えることで、対象とする癌組織の種類、位置、深度、大きさに対して最適な高周波信号を与えることもできる。
【００７１】
なお、人体２のＺ軸方向への高周波信号の到達度の調整は、電極の大きさを変えることで実現していることも多い。このため、電極３は、周波数、電極の大きさ、信号強度などが適宜組み合わされることで、人体２の加熱に適した高周波信号を出力する。
【００７２】
第１電極３Ａと第２電極３Ｂは、対となることで、高周波信号の出力と受信とが可能となるが、接地面（いわゆるアース）が受信機能を備える場合には、第１電極３Ａのみで、人体２に高周波信号を照射できる。高周波信号が人体２に吸収されると、人体２の分子運動が盛んになり、分子運動の増加によって人体２の組織が発熱し、発熱部分の温度が高くなる。すなわち、高周波信号によって、人体２内部の組織が加熱されることになる。
【００７３】
癌組織ではない正常な組織は、多数の毛細血管を含んでおり、この毛細血管の拡張によって（血流が盛んになり）、発熱による熱は放出される。すなわち、正常な組織の温度は余り上昇しない。これに対して、癌組織においては、毛細血管の働きが不十分となっており、毛細血管が熱を受けても拡張しない。すなわち、血流が盛んになることも無い。この結果、癌組織においては、高周波信号による発熱が放出されることが無く、癌組織は、発熱するようになる。
【００７４】
このように、高周波信号が人体２に照射されることで、癌組織の温度が上昇して死滅し、正常な組織の温度はほとんど上昇せず、死滅することもない。
【００７５】
以上のように、電極３（第１電極３Ａと第２電極３Ｂ）は、人体２に対して高周波信号を付与し、癌組織などの加熱対象を加熱する。なお、ここでは、癌組織を加熱対象として説明しているが、加熱対象は、前立腺組織、肝組織、肺組織、腰背部軟部組織などの癌組織以外も含む。
【００７６】
（食塩水ボーラス）
食塩水ボーラス４（図１においては、人体２の表面側の第１食塩水ボーラス４Ａと人体２の裏面側の第２食塩水ボーラス４Ｂとを含む）は、電極３が人体２に直接接触しない（衛生面、人体への不快感などの防止のため）ために設置される。
【００７７】
また、食塩水ボーラス４は、内部に食塩水を含んでいるので、高周波信号を透過させることができる。また、食塩水の濃度や食塩水ボーラス４の形状によって、電極３から出力される高周波信号の角度を変更でき、後述の誘導体５と相まって加熱対象へ高周波信号を集中させやすくなる。特に、食塩水を含んでいるので、人体の導電率に近くなり、高周波信号を人体に通過させやすくなる。
【００７８】
また、電極３と人体２との間に空気層が存在する場合には、電極３より照射される高周波信号が人体２に到達しにくかったり、高周波信号が空気層で反射や散乱したりして、人体２に対する放射線の付与が不十分となりうる。食塩水ボーラス４は、電極３と人体２との間に空気層を生じさせない。この結果、電極３から照射される高周波信号が人体２に到達しにくい問題が解消される。
【００７９】
このため、食塩水ボーラス４は、その形状に柔軟性を有していることが好ましい。例えば、ビニールや軟性樹脂の袋に、食塩水が充填されている態様を有することで、食塩水ボーラス４は、電極３と人体２との間に空気層を生じさせにくくなる。このため、食塩水ボーラス４は、ウォータークッションのような態様を有している。
【００８０】
図１においては、第１電極３Ａと第２電極３Ｂとが、人体２の表面と裏面のそれぞれに対向するように配置されるので、これに合わせて第１食塩水ボーラス４Ａと第２食塩水ボーラス４Ｂのそれぞれが、第１電極３Ａおよび第２電極３Ｂのそれぞれに合わせて配置される。
【００８１】
なお、食塩水ボーラス４は、電極３と人体２との間の空気層を生じさせることを防止するので、電極３と一体で構成されても良いし、別体で構成されても良い。図１の温熱治療装置１では、電極３と食塩水ボーラス４は、別体で構成されているが、電極３に食塩水ボーラス４が取り付けられている構成を有していてもよい。
【００８２】
（冷却用食塩水ボーラス）
後述の誘導体５と人体２との間には、冷却用食塩水ボーラス６が配置される。冷却用食塩水ボーラス６は、人体２と直接接触する要素になるので、高周波信号の照射によって人体２の表面における加熱を防止すると共に誘導体５の配置によって生じうる食塩水ボーラス４と人体２との間の空気層を防止する。
【００８３】
図１における温熱治療装置１は、誘導体５を人体２と電極３との間に配置する。このため、電極３の下層（人体２側）に配置される食塩水ボーラス４は、人体２と直接的に接触できずに誘導体５に接触することになってしまう。誘導体５は、加熱対象となる癌組織１０に高周波信号を誘導する役割を果たすが、食塩水ボーラス４と人体２との間に配置されるので、食塩水ボーラス４の人体２への接触を排除する。加えて、誘導体５は、絶縁領域７と非絶縁領域８を有する構造のため、柔軟性を生じさせたり、空気層の発生を防止させたりすることは難しい。
【００８４】
このため、食塩水ボーラス４と同様に、その外形に柔軟性を有する冷却用食塩水ボーラス６が、誘導体５と人体２との間に配置される。冷却用食塩水ボーラス６は、柔軟性のある外形によって、最終的には電極３と人体２との間の空気層の発生を、最小化する。結果的に、電極３から照射される高周波信号が、人体２に到達する前に、反射したり散乱したりすることが低減できる。
【００８５】
また、冷却用食塩水ボーラス６は、人体２と直接的に接触する。冷却用食塩水ボーラス６は、袋状の素材の内部に食塩水を充填しているので、人体２に冷感を与えることができる。この結果、冷却用食塩水ボーラス６は、人体２表面を冷却できる。高周波信号の照射での加熱によって、人体２の表面も発熱する可能性がある。このような発熱は、人体２にとっては負担となったり不快感となったりすることもある。冷却用食塩水ボーラス６は、このような負担や不快感を低減できる。
【００８６】
なお、冷却用食塩水ボーラス６は「冷却用」との文言を含んでいるが、冷却の用途を必須用途とするわけではない。
【００８７】
図１の温熱治療装置１に示されるように、人体２の表面および裏面のそれぞれに対向するように配置される第１電極３Ａおよび第２電極３Ｂに合わせて、第１冷却用食塩水ボーラス６Ａと第２冷却用食塩水ボーラス６Ｂとが配置される。
【００８８】
（誘導体）
次に、誘導体５について説明する。
【００８９】
誘導体５について図２、図３を用いて説明する。ここで図２、図３は、単体の誘導体５を示すと共に、後述の誘導体５を構成する第１誘導部材５１Ａ、第２誘導部材５１Ｂを示している。すなわち、形状、構造などにおいては、単体の誘導体５と第１誘導部材５１Ａ（第２誘導部材５１Ｂ）とは、特段の区別をしなければならないわけではない。図２は、本発明の実施の形態１における誘導体の正面図であり、図３は、本発明の実施の形態１における誘導体の正面図である。
【００９０】
（絶縁領域と非絶縁領域）
誘導体５は、絶縁領域７と非絶縁領域８を備える。絶縁領域７は、電極３から照射される高周波信号を遮蔽し、非絶縁領域８は、高周波信号を通過させる。高周波信号は、高い周波数を有する電流であるので、絶縁体である絶縁領域７によって、遮蔽される。一方、非絶縁領域８は、絶縁性を有していないので（有していても小さい）高周波信号を通過させる。
【００９１】
絶縁領域７は、樹脂や合成樹脂などの絶縁性を有する素材で形成されれば良い。一方、非絶縁領域８は、絶縁性を有しない素材で形成されても良いし、誘導体５における空隙や隙間によって形成されても良い。このため、絶縁性を有する素材によって絶縁領域７が形成され、絶縁領域７以外の部分が非絶縁領域８となればよい。
【００９２】
例えば、図２に示されるように、誘導体５は、絶縁性の素材で形成される方形（方形に限らず、円形、楕円形、多角形など）の外形を有し、この方形の内部の一部に空隙が設けられる。例えば、切り抜きによって空隙が設けられる。この空隙以外の部分が絶縁領域７となり、空隙が非絶縁領域８となる。図２に示される誘導体５は、一枚の絶縁性の素材で、絶縁領域７および非絶縁領域８を構成する。誘導体５が温熱治療装置１に使用される場合には、非絶縁領域８となる空隙が、加熱対象となる癌組織１０に対向する位置に誘導体５が設置される。言い換えれば、加熱対象以外の部位には、絶縁領域７が対向するように誘導体５が設置される。
【００９３】
あるいは、図３に示されるように、誘導体５は、絶縁性を有する、複数の素材の組み合わせで、絶縁領域７と非絶縁領域８とを形成してもよい。図３の誘導体５は、絶縁機能を有する複数の絶縁部材７１の組み合わせを有している。具体的には、４枚の絶縁部材７１が井桁状に組み合わされている。このため、中央付近には、４枚の絶縁部材７１のいずれもが存在しない領域が発生する。この領域が、非絶縁領域８となる。当然ながら、４枚の絶縁部材７１の存在する領域が、絶縁領域７となる。
【００９４】
図２に示されるような、一つの部材で絶縁領域７および非絶縁領域８が形成される誘導体５が用いられても良いし、図３に示されるような、複数の部材で絶縁領域７および非絶縁領域８が形成される誘導体５が用いられても良い。図２に示されるような一つの部材で形成される誘導体５は、その形状が固定であるので、運搬・保管・使用が容易であるメリットを有する。例えば、加熱対象となる癌組織１０の一般的な大きさや位置にあわせた非絶縁領域８を有する既製品として、誘導体５は、簡便に流通・使用される。
【００９５】
一方、図３に示されるように複数の部材で形成される誘導体５は、その形状（特に、非絶縁領域８の位置、大きさ、配置）が可変となるので、加熱対象となる癌組織１０の位置、大きさ、種類、あるいは治療を受ける患者の体格や特性に応じて、フレキシビリティに用いられるメリットを有する。また、複数の絶縁部材７１のそれぞれは、まとめて保管されておけばよいので、保管の容易性もあり、保管と使用態様のフレキシビリティのバランスも高くなる。例えば、同じ形状・大きさを有する複数の絶縁部材７１が保管されており、温熱治療装置１に用いられる際には、加熱対象の位置や大きさに合わせてこれら複数の絶縁部材７１が組み合わされて、必要な絶縁領域７と非絶縁領域８を有する誘導体５が使用できるようになる。
【００９６】
このように、図３に示されるような複数の絶縁部材７１の組み合わせによる誘導体５は、形状、面積および位置の少なくとも一つにおいて可変となる非絶縁領域８を備えることができる。もちろん、図２示される単一部材で構成された誘導体５であっても、人体２に対する設置位置を変えるだけで、非絶縁領域８の位置を可変とできる。
【００９７】
絶縁領域７と非絶縁領域８の組み合わせが、癌組織１０などの加熱対象へ、集中的に高周波信号を導入するので、非絶縁領域８（言い換えれば絶縁領域７）の形状、面積および位置の少なくとも一つが可変であることは重要である。誘導体５は、設置位置に加えて、複数の絶縁部材７１の組み合わせによることで、非絶縁領域８の形状、面積および位置の少なくとも一つをフレキシブルに変更できるようになる。
【００９８】
絶縁領域７は、絶縁機能を有する部材や素材で形成される。非絶縁領域８は、絶縁領域７の残部であるが、図２、図３に示されるように、空隙が非絶縁領域８となってもよいし、絶縁性のない素材によって非絶縁領域８が形成されても良い。例えば、異なる２種類の部材が組み合わされて、絶縁性を有する部材は絶縁領域７を形成し、非絶縁性を有する部材は非絶縁領域８を形成する構造でもよい。
【００９９】
また、非絶縁領域８は、図２や図３のように、絶縁領域７で囲まれて形成される領域および絶縁領域７の外側の領域８１の少なくとも一方を含む。すなわち、図３における非絶縁領域８のように、絶縁部材７１によって囲まれたり、図２における非絶縁領域８のように一体である部材の絶縁領域７によって囲まれたりして形成される領域を含む。同様に絶縁領域７の外側の領域８１（絶縁領域７によって囲まれる非絶縁領域８の有無に関係なく）は、当然ながら非絶縁領域となりえる。このため、非絶縁領域８は、この外側の領域８１も含む。
【０１００】
すなわち、誘導体５は、誘導体５を形成する部材そのものが備える（あるいは複数の絶縁部材７１が形成する構造体が備える）非絶縁領域８を用いるだけでなく、場合によっては、これら部材や構造体の外側（部材や構造体の周囲の領域）に当然ながら生じる非絶縁領域をも用いて、高周波信号を誘導できる。これは、後述の第１誘導部材５１Ａや第２誘導部材５１Ｂであっても同様である。
【０１０１】
（加熱対象と非絶縁領域との対向）
誘導体５は、電極３から照射される高周波信号を加熱対象に集中的に誘導する。特に、絶縁領域７と非絶縁領域８の組み合わせの、形状、位置、範囲、大きさなどの要素によって、誘導体５は、加熱対象に集中的に高周波信号を誘導して、加熱を促す。
【０１０２】
このとき、非絶縁領域８は、高周波信号を人体２に到達させるので、非絶縁領域８は、加熱対象と対向していることが好ましい。特に、人体２を、相互に直交するＸ軸、Ｙ軸、Ｚ軸で把握する場合に、非絶縁領域８は、Ｘ軸およびＹ軸で構成される二次元平面において、人体２に含まれる加熱対象と対向することが好ましい。
【０１０３】
図４は、本発明の実施の形態１における人体の模式図である。図４は、人体を正面から見た状態と側面から見た状態とを示している。上述のＸ軸、Ｙ軸およびＺ軸は、相互に直交して三次元空間を定義する軸であるが、Ｘ軸は、人体２の横方向に沿っており、Ｙ軸は、人体２の身長方向に沿っており、Ｚ軸は、人体２の厚み方向に沿っている。人体２をこのようなＸ軸、Ｙ軸、Ｚ軸の三次元空間で把握することで、誘導体５による加熱対象への集中的な加熱（高周波信号の誘導）が、より明確に把握できるようになる。
【０１０４】
図５は、本発明の実施の形態１における誘導体の配置状態を示す模式図である。図５は、人体２を上から見ており、人体２は、癌組織１０などの加熱対象を有している。人体２は、図４で説明した通りに、Ｘ軸、Ｙ軸、Ｚ軸で把握されるので、人体２の表面は、Ｘ軸およびＹ軸による二次元平面で把握される。
【０１０５】
誘導体５の非絶縁領域８は、高周波信号を加熱対象である癌組織１０に誘導することが求められるので、非絶縁領域８は、Ｘ軸およびＹ軸で構成される二次元平面において、癌組織１０などの加熱対象と対向していることが好ましい。図５は、非絶縁領域８がＸ軸およびＹ軸で構成される二次元平面において、加熱対象である癌組織１０と対向している状態を示している。
【０１０６】
非絶縁領域８が加熱対象である癌組織１０と対向していることで、図１の破線のように、高周波信号が加熱対象に集中するようになるメリットがある。結果として、人体２への負担やストレスを抑制しつつ、加熱対象を集中的に発熱させてがん治療を行えるようになる。
【０１０７】
（誘導体の別態様）
誘導体５は、図１に示されるように、単体の部材として人体２の表面側（あるいは裏面側）に配置されても良いが、第１誘導部材と第２誘導部材を備える構成でも良い。図６は、本発明の実施の形態１における温熱治療装置の別態様を示す模式図である。図６では、第１誘導体５１Ａが人体２の表面側に配置され、第２誘導部材５１Ｂが人体２の裏面側に配置される。ここで、第１誘導部材５１Ａおよび第２誘導部材５１Ｂのそれぞれの構造や機能は、図２、図３で説明した誘導体５と同様である。すなわち、第１誘導部材５１Ａは、絶縁領域７Ａと非絶縁領域８Ａを有し、第２誘導部材５１Ｂは、絶縁領域７Ｂと非絶縁領域８Ｂとを有する。なお、絶縁領域７Ａ、７Ｂの外側の領域を非絶縁領域としてみなしても良いことは、誘導体５において説明したのと同様である。
【０１０８】
絶縁領域７Ａ、７Ｂおよび非絶縁領域８Ａ、８Ｂは、誘導体５の絶縁領域７と非絶縁領域８と同様の機能を有する。すなわち、絶縁領域７Ａ、７Ｂは高周波信号を遮蔽し、非絶縁領域８Ａ、８Ｂは、高周波信号を通過させる。このため、第１誘導部材５１Ａおよび第２誘導部材５１Ｂのそれぞれは、絶縁領域７Ａ、７Ｂと非絶縁領域８Ａ，８Ｂの組み合わせによって、高周波信号を加熱対象に集中して誘導する。
【０１０９】
図６に示される温熱治療装置１の高周波信号の通過は、破線に示されるとおりである。すなわち、第１誘導部材５１Ａの絶縁領域７Ａと非絶縁領域８Ａの組み合わせによって、加熱対象である癌組織１０に高周波信号が集中する。更に、人体２の裏面には、第２誘導部材５１Ｂが配置されているので、第２誘導部材５１Ｂの備える絶縁領域７Ｂと非絶縁領域８Ｂの組み合わせによって、高周波信号を更に加熱対象に集中させやすくなる。図１における破線に比較して、図６における破線は、高周波信号の出口（人体２の裏面）においても絶縁領域７Ｂと火絶縁領域８Ｂとの組み合わせによって、より加熱対象への集中が生じていることが分かる。
【０１１０】
このように、誘導体５が第１誘導部材５１Ａと第２誘導部材５１Ｂを備える場合には、加熱対象への高周波信号の集中的な誘導効率が高まり、人体２への負担やストレスを抑えつつ、加熱対象のみを集中して発熱させることができる。人体２の表面および裏面において、高周波信号が通過する範囲が加熱対象に限定されやすくなるからである。
【０１１１】
このとき、第１誘導部材５１Ａおよび第２誘導部材５１Ｂのそれぞれの非絶縁領域８Ａ、８Ｂは、人体２の表面および裏面のそれぞれで、癌組織１０と対向していることが好ましい。高周波信号は、第１誘導部材５１Ａの非絶縁領域８Ａから第２誘導部材５１Ｂの非絶縁領域８Ｂへ通過するからである。
【０１１２】
以上のように、誘導体５は、絶縁領域７と非絶縁領域８の組み合わせによって、電極３から照射される高周波信号を、癌組織１０などの加熱対象に集中的に誘導する。結果として、加熱対象を集中的に発熱させる。別な視点でいえば、加熱対象以外に対しては高周波信号の誘導を低減し、加熱対象以外での発熱を抑制できる。特に、非絶縁領域８を加熱対象と対向させることで、誘導体５は、これ等の効果を実現できる。もちろん、誘導体５が単体で人体２の表面のみ（あるいは裏面のみ）に配置されてもよいし、図１に示されるように、第１誘導部材５１Ａと第２誘導部材５１Ｂが、人体２の表面と裏面に配置されても良い。
【０１１３】
このため、誘導体５は、人体への負担を最小限にしつつ、加熱対象のみを集中的に加熱でき、温熱治療装置に適用されると、がん治療などに非常に効果的である。また、誘導体５は、既存の温熱治療装置１に組み込まれるだけでよいので、温熱治療装置１のコストも抑えられる。温熱治療は、外科治療や化学治療と合わせて用いられることが好適であるので、温熱治療装置１のコストが抑えられることは、他の治療方法と組み合わせた治療を容易にできるメリットもある。
【０１１４】
以上のように、実施の形態１における誘導体は、加熱対象を集中的に発熱させると共に、加熱対象以外での発熱を抑えて人体への負担を抑制できる温熱治療装置および温熱治療を実現できる。
【０１１５】
（実施の形態２）
【０１１６】
次に、実施の形態２について説明する。
【０１１７】
実施の形態２では、誘導体５が第１誘導部材５１Ａおよび第２誘導部材５１Ｂを備えており、（１）第１誘導部材５１Ａの絶縁領域７Ａの少なくとも一部が、人体２を介して、第２誘導部材５１Ｂの非絶縁領域８Ｂの少なくとも一部と対向する、（２）第１誘導部材５１Ａおよび第２誘導部材５１Ｂの少なくとも一方が、高周波信号の照射中に移動可能である、の２つのパターンについて説明する。
【０１１８】
（互い違いの対向）
図７は、本発明の実施の形態２における温熱治療装置の模式図である。図７は、温熱治療装置１を側面から見た状態を示しており、図１などと同じ符号が付されている要素は、図１等を用いて説明した要素と同様の機能や構成を有する要素である。
【０１１９】
図７の温熱治療装置１では、誘導体５は、第１誘導部材５１Ａと第２誘導部材５１Ｂを備えている。ここで、第１誘導部材５１Ａは人体２の表面側に配置され、第２誘導部材５１Ｂは、人体２の裏面側に配置される。更に、第１誘導部材５１Ａの絶縁領域７Ａの少なくとも一部が、人体２を介して、第２誘導部材５１Ｂの非絶縁領域８Ｂの少なくとも一部と対向する。図６においては、第１誘導部材５１Ａの非絶縁領域８Ａと第２誘導部材５１Ｂの非絶縁領域８Ｂとが（Ｘ軸、Ｙ軸）の座標において一致している。すなわち、ほぼ一致するように対向している。これに対して、図７では、第１誘導部材５１Ａの絶縁領域７Ａと第２誘導部材５１Ｂの絶縁領域７Ｂとは、（Ｘ軸、Ｙ軸）で完全に一致しているわけではなく、非絶縁領域８Ａ，８Ｂ同士も同様である。
【０１２０】
すなわち、第１誘導部材５１Ａの絶縁領域７Ａの少なくとも一部と第２誘導部材５１Ｂの非絶縁領域８Ｂの少なくとも一部が、人体２を介して対向している。もちろん、第１誘導部材５１Ａの絶縁領域７Ａが第２誘導部材５１Ｂの非絶縁領域８Ｂとが、ほぼ一致した状態で対向していることもありえる。
【０１２１】
非絶縁領域８Ａと非絶縁領域８Ｂとが（Ｘ軸、Ｙ軸）で示される座標値において異なることで、第１電極３Ａから照射される高周波信号は、まず第１誘導部材５１Ａの絶縁領域７Ａを避けるようにして非絶縁領域８Ａを通過する。絶縁領域７Ａと非絶縁領域８Ａの境界は、加熱対象である癌組織１０と対向する位置にあり、絶縁領域７Ａと非絶縁領域８Ａとの境界を通過する高周波信号は、癌組織１０の近傍を通過しやすくなる。このとき、人体２を通過した高周波信号は、第２誘導部材５１Ｂの非絶縁領域８Ｂを通過する。第２誘導部材５１Ｂの絶縁領域７Ｂで高周波信号が遮蔽されるからである。すなわち、図７に示される破線のように、高周波信号はねじれをもって、第１電極３Ａから第２電極３Ｂに到達する。
【０１２２】
このねじれによって、高周波信号は、加熱対象である癌組織１０に様々な角度から導入しやすくなる。
【０１２３】
例えば、加熱対象となる癌組織１０の位置や形状によっては、図１に示されるように、略垂直に高周波信号が照射されるよりも、斜め方向から高周波信号が照射されるほうが、癌組織１０が集中的に発熱しやすい場合がある。このような場合においては、図７に示されるように第１誘導部材５１Ａと第２誘導部材５１ＢとをＺ軸にそって互い違いに配置することも好適である。
【０１２４】
図７に示されるように、第１誘導部材５１Ａと第２誘導部材５１Ｂとが人体２を基準に互い違いに配置される場合には、第１誘導部材５１Ａ第２誘導部材５１Ｂのそれぞれは、図８に示されるような形状を有していてもよい。図８は、本発明の実施の形態２における誘導部材の正面図である。
【０１２５】
第１誘導部材５１Ａ（もしくは第２誘導部材５１Ｂ）は、一方向に偏った絶縁領域７Ａ（もしくは絶縁領域７Ｂ）と、他方向に偏った非絶縁領域８Ａ（もしくは非絶縁領域８Ｂ）を有している。非絶縁領域８Ａ、８Ｂの周囲は部材で囲まれている。もちろん、囲まれていなくても良く、この場合には、第１誘導部材５１Ａや第２誘導部材５１Ｂが絶縁領域７Ａ，７Ｂのみから構成されており、この絶縁領域７Ａ，７Ｂの外側が非絶縁領域となる。
【０１２６】
以上のように、第１誘導部材５１Ａの絶縁領域７Ａの少なくとも一部が、人体２を介して、第２誘導部材５１Ｂの非絶縁領域８Ｂの少なくとも一部と対向することで、高周波信号を、ねじれた角度で加熱対象に集中的に誘導できる。
【０１２７】
（非絶縁領域の移動・変化）
第１誘導部材５１Ａおよび第２誘導部材５１Ｂの少なくとも一方は、温熱治療装置による温熱治療中に、それぞれの非絶縁領域８Ａ、８Ｂを移動可能であることも好ましい。
【０１２８】
（その１）
例えば、図６で示されるように、第１誘導部材５１Ａの非絶縁領域８Ａと第２誘導部材５１Ｂの非絶縁領域８Ｂとが、癌組織１０と対向している。この状態では、癌組織１０に略垂直に高周波信号が誘導される。この状態から、第１誘導部材５１Ａと第２誘導部材５１Ｂを同じ方向（Ｘ軸、Ｙ軸での平面方向）で移動させる。
【０１２９】
図９は、本発明の実施の形態２における誘導部材の移動を示す模式図である。図９では、人体の正面から見ているので、第１誘導部材５１Ａのみが示されている。しかしながら、第１誘導部材５１Ａと（重複して）第２誘導部材５１Ｂが人体を介して重畳配置されている。
【０１３０】
図９の左側は、ある位置に第１誘導部材５１Ａおよび第２誘導部材５１Ｂが配置されている状態を示している。この後、図９の右側に示されるように、第１誘導部材５１Ａおよび第２誘導部材５１ＢがＸ軸およびＹ軸で示される二次元平面において、同一方向に移動される。この結果、非絶縁領域８Ａおよび非絶縁領域８Ｂの位置も変化する。特に、癌組織１０との対向位置に変化が生じる。この結果、癌組織１０への高周波信号の誘導の経路が変化し、癌組織１０を満遍なく発熱させることができる。例えば、癌組織１０の周囲も含めて発熱を促す必要がある場合に好適である。
【０１３１】
このように、第１誘導部材５１Ａと第２誘導部材５１Ｂがその非絶縁領域８Ａ、８Ｂの対向位置を合わせたまま移動することは、加熱対象を、より効果的かつフレキシブルに発熱させることができる。
【０１３２】
非絶縁領域がＸ軸、Ｙ軸平面上で移動することは、このように加熱対象を効果的に加熱するだけでなく、人体２の表面であって、高周波信号が照射される部位を変化させることができる。この結果、人体２の表面の特定部位が高周波信号によって加熱される時間が短縮され、人体２の表面における加熱ストレスが低減できる。
【０１３３】
（その２）
また、図８に示されるように非絶縁領域の位置が互い違いである場合に、その非絶縁領域の位置を変更することも好適である。図１０は、本発明の実施の形態２における温熱治療装置の模式図であり、図８と同じ構成を示している。図１０での温熱治療装置１は、第１誘導部材５１Ａの非絶縁領域８Ａと第２誘導部材５１Ｂの絶縁領域７Ｂが人体２を介して対向している。この場合には、破線に示されるような高周波信号の経路が形成される。この経路によって、癌組織１０が集中的に発熱する。
【０１３４】
この図１０の状態から、第１誘導部材５１Ａと第２誘導部材５１Ｂとが正反対になるように第１誘導部材５１Ａと第２誘導部材５１Ｂを移動させる。図１１は、このように第１誘導部材５１Ａと第２誘導部材５１Ｂが移動した後の状態を示している。図１０とＸ軸方向において逆の位置に、非絶縁領域８Ａ、８Ｂが位置するように変化している。すなわち、図１０とはＸ軸上で逆の状態となった上で、第１誘導部材５１Ａの非絶縁領域８Ａは、第２誘導部材５１Ｂの絶縁領域７Ｂと人体２を介して対向し、第１誘導部材５１Ｂの絶縁領域７Ａは、第２誘導部材５１Ｂの非絶縁領域８Ｂと対向している。図１１は、本発明の実施の形態２における温熱治療装置の模式図である。
【０１３５】
この結果、高周波信号は、図１１の破線で示されるように、図１０とは異なった斜め方向から癌組織１０に誘導される。この誘導される高周波信号によって、癌組織１０は発熱する。癌組織１０への高周波信号の誘導によって、癌組織１０は発熱するが、高周波信号の進入角度が温熱治療の際に変化することで、癌組織１０が満遍なく発熱できる。もちろん、図１０から図１１に変化する間にも、徐々に第１誘導部材５１Ａと第２誘導部材５１Ｂとが徐々に移動（言い換えると、非絶縁領域８Ａと非絶縁領域８Ｂとが徐々に移動）するので、癌組織１０に誘導される高周波信号の進入角度が少しずつ変化する。この変化によって、癌組織１０の発熱が更に高まる。分子運動を促す不均一な力によって、癌組織１０での発熱が高まりやすくなるからである。
【０１３６】
また、高周波信号が照射される人体２の表面の部位も、非絶縁領域の移動に伴って変化する。このため、特定の部位における照射時間が短縮され、人体２の表面での加熱ストレスが低減できる。
【０１３７】
以上のように、温熱治療中に、第１誘導部材５１Ａおよび第２誘導部材５１Ｂが移動可能であることで（言い換えると、非絶縁領域８Ａと非絶縁領域８Ｂが移動可能である）、誘導体５は、高周波信号を加熱対象により効果的に誘導できる。結果として、温熱治療の効果が高まる。
【０１３８】
このとき、高周波信号が照射状態である間に、誘導体５（第１誘導部材５１Ａ、第２誘導部材５１Ｂ）が移動されても良いし、高周波信号の照射が停止中に移動されても良い。後者の場合には、高周波信号の照射が停止されてから誘導体５が移動され、移動後に再び高周波信号の照射が開始される。これの繰り返しによって、加熱対象への十分な照射を可能とする。
【０１３９】
（制御部）
図１２は、本発明の実施の形態２における温熱治療装置の模式図である。図１２に示される温熱治療装置１は、制御部２０を備えている。
【０１４０】
温熱治療装置１は、第１誘導部材５１Ａおよび第２誘導部材５１Ｂの少なくとも一方の設置および移動の少なくとも一方を行う制御部２０を備える。制御部２０は、誘導体５（誘導体５が第１誘導部材５１Ａおよび第２誘導部材５１Ｂを備える場合には、これらの誘導部材）を、人体２に合わせて設置したり移動させたりする。例えば、上述のように、第１誘導部材５１Ａと第２誘導部材５１Ｂとを、Ｘ軸方向やＹ軸方向に移動させて、加熱対象に対する高周波信号の誘導経路を時間とともに変化させることができる。このような高周波信号の誘導経路の変化は、加熱対象における発熱を高めることができる。
【０１４１】
以上のように、実施の形態２における誘導体５は、第１誘導部材５１Ａと第２誘導部材５１Ｂとを備えることで、加熱対象への高周波信号の誘導を更に高い精度で行ったり、フレキシブルに行ったりできる。結果として、様々な形状や態様を有する癌組織１０の治療を可能とする。
【０１４２】
（実施の形態３）
次に実施の形態３について説明する。実施の形態３では、実施の形態１、２で説明された誘導体５を用いた温熱治療装置１と温熱治療装置１を用いた温熱治療方法について説明する。
【０１４３】
図１３は、本発明の実施の形態３における温熱治療の状態を示す説明図である。図１３は、癌組織などの温熱治療の対象となる疾患を有する患者２００に対して、温熱治療を施す状態を示している。
【０１４４】
温熱治療装置１は、実施の形態１、２で説明された要素や機能を有しており、温熱治療を実現できる。患者２００は、癌組織１０を有しており、温熱治療装置１は、癌組織１０を集中的に加熱して癌組織１０を死滅させることを目的とする。温熱治療装置１は、第１電極３Ａと第２電極３Ｂを備え、高周波信号を癌組織１０に付与する。この際に、誘導体５を構成する第１誘導部材５１Ａと第２誘導部材５１Ｂが患者２００の表面と裏面に配置されている。第１誘導部材５１Ａと第２誘導部材５１Ｂのそれぞれは、絶縁領域７Ａ、７Ｂと非絶縁領域８Ａ、８Ｂを備えている。高周波信号は、この絶縁領域と非絶縁領域の組み合わせによって、癌組織１０のある部位に集中し、その他の部分へは余り到達しない。この結果、患者２００への負担やストレスは最小限に抑えられ、加熱対象となる癌組織１０を集中的に発熱させることができる。
【０１４５】
このとき、温熱治療装置１は、第１電極３Ａから高周波信号を付与する付与ステップと、誘導体５によって高周波信号がある部位に集中する集中ステップと、集中された高周波信号によって加熱対象を発熱させる発熱ステップと、を備えて、これらの方法によって温熱治療を実行する。
【０１４６】
図１３では、癌組織１０に、第１誘導部材５１Ａの非絶縁領域８Ａと第２誘導部材５１Ｂの非絶縁領域８Ｂが対向しているが、実施の形態１、２で説明したように、第１誘導部材５１Ａと第２誘導部材５１Ｂが温熱治療中に移動してもよい。
【０１４７】
以上のように、実施の形態１，２で説明した誘導体５を用いた温熱治療装置１は、癌組織１０を集中的に加熱しつつ患者への負担を軽減して、治療を行うことができる。
【０１４８】
（実験結果）
実施の形態１，２で説明した誘導体５を用いた温熱治療装置１を用いることでの効果を、発明者は実験を通じて確認した。
【０１４９】
（実験その１）
まず、実施の形態１において図６を用いて説明した態様における誘導体５の効果について実験を行った。図１４は、実験その１における実験態様を示す模式図である。図１４は、図６と同じように、第１誘導部材５１Ａと第２誘導部材５１Ｂを、人体を模式する寒天ファントム２１の表面と裏面に設置し、第１電極３Ａおよび第２電極３Ｂによって、高周波信号を照射した。寒天ファントム２１中の位置（１）〜（５）は、その加熱状態を測定する位置である。図１４では、位置（１）、位置（２）が、第１誘導部材５１Ａおよび第２誘導部材５１Ｂの非絶縁領域８Ａと８Ｂとが対向する加熱対象である。すなわち、他の位置（１）〜（５）よりも、位置（１）、（２）の加熱が高いことが求められる。なお、人体を模式する実験では、一般的に寒天ファントムが用いられる。
【０１５０】
（実験条件）
第１電極３Ａおよび第２電極３Ｂのそれぞれは、第１食塩水ボーラス４Ａと第２食塩水ボーラス４Ｂを装着している。更に、第１電極３Ａおよび第２電極３Ｂのそれぞれは、３０ｃｍの直径を有しており、８ＭＨｚの高周波信号を照射する。
【０１５１】
更に、第１冷却用食塩水ボーラス６Ａと第２冷却用食塩水ボーラス６Ｂを、第１誘導部材５１Ａと第２誘導部材５１Ｂに合わせて設置している。
【０１５２】
第１誘導部材５１Ａと第２誘導部材５１Ｂのそれぞれは、絶縁領域７Ａ，７Ｂおよび非絶縁領域８Ａ，８Ｂを有している。この非絶縁領域８Ａと非絶縁領域８Ｂとは、寒天ファントム２１の位置（１）、（２）と相互に対向している。また、第１誘導部材５１Ａおよび第２誘導部材５１Ｂは、温熱治療の最中には移動されることはなく、位置は固定されている。
【０１５３】
（実験結果）
実験その１の実験結果は、図１５、図１６に示される。図１５は、実験その１における位置（１）〜（５）のそれぞれの温度上昇を示す表であり、図１６は、図１５の表に対応するグラフである。
【０１５４】
図１５、図１６の結果から明らかな通り、高周波信号の照射時間が長くなるにつれて位置（１）、（２）（非絶縁領域に対向する）の温度上昇が他の位置（３）〜（５）（絶縁領域に対向する）の温度上昇よりも大きくなっていく。最終的な３０分の照射終了後には、２．７℃から４．６℃の差分が生じている。また、位置（１）、（２）では４４℃以上になっており、一般的に癌組織が死滅すると考えられる温度にまで上昇している。
【０１５５】
このように、実施の形態１で説明した誘導体５は、その絶縁領域７と非絶縁領域８との組み合わせによって、加熱対象となる位置（実験その１では位置（１）、（２））を集中的に加熱できることが実験その１より明らかである。この加熱対象となる位置（１）、（２）に癌組織などが存在すれば、誘導体５（すなわち温熱装置１）は、この癌組織のみを集中的に加熱でき、高い治療効果をもたらすことができる。加えて、加熱対象以外の人体へのストレスが小さい。
【０１５６】
（実験その２）
次に、実験その２において、実施の形態２で図１０、図１１を用いて説明した態様での実験を行った。図１７は、実験その２を示す模式図である。図１７は、実施の形態２で用いた図１０、図１１と同様に、第１誘導部材５１Ａと第２誘導部材５１Ｂとを、移動させながら治療を行う状態を示している。人体を模式する寒天ファントム２１の位置（１）が加熱対象である。
【０１５７】
（実験条件）
用いる要素等は、実験その１と基本的に同様である。但し、第１誘導部材５１Ａおよび第２誘導部材５１Ｂの形状および設置後の移動において相違する。
【０１５８】
第１誘導部材５１Ａと第２誘導部材５１Ｂのそれぞれは、絶縁領域７Ａ、７Ｂと非絶縁領域８Ａ、８Ｂを有している。また、第１誘導部材５１Ａの非絶縁領域８Ａと第２誘導部材５１Ｂの非絶縁領域８Ｂとは、寒天ファントム２１を介して不一致の状態で対向している。加えて、１０分間の高周波信号の照射後に、第１誘導部材５１Ａと第２誘導部材５１Ｂの位置を逆転してから（図１０から図１１に変化するような状態）再び高周波信号を照射することを行った。
【０１５９】
（実験結果）
実験その２の結果は、図１８、図１９に示される。図１８は、本発明の実験その２の結果を示す表であり、図１９は、図１８の表に対応するグラフである。
【０１６０】
図１８、図１９の結果からわかる通り、加熱対象となる位置（１）での温度上昇が他の位置よりも高くなった。すなわち、加熱対象だけを集中的に加熱して、他の位置に対する加熱へのストレスや負担を軽減できることが分かる。また、加熱対象となる位置（１）の温度は、４４℃くらいにまで上昇しており、癌組織が死滅するに十分な温度上昇である。
【０１６１】
このように、実施の形態２で説明したような、誘導体５が温熱治療中に移動されることで、加熱対象のみを集中的に加熱できることが、実験その２からも明らかになった。
【０１６２】
また、実験その１、実験その２に対する比較例についても実験を行った。図２０は、比較例における実験状態を示す模式図である。比較例では、実験その１、実験その２と異なり実施の携帯１、２で説明した誘導体５は用いられず、食塩水ボーラス４および冷却用食塩水ボーラス６を介して、電極３から寒天ファントム２１に直接高周波信号が照射されている。実験その１、実験その２に対応するように位置（１）〜（４）のそれぞれにおける温度上昇を測定した。
【０１６３】
図２１は、比較例における結果を示す表であり、図２２は、図２１に対応するグラフである。図２１、図２２から明らかな通り、位置（１）〜（４）のそれぞれでの温度上昇は相違がほとんどなく、癌組織などの特定の加熱対象を集中的に加熱することは難しい。
【０１６４】
特に、加熱対象となる部位（比較例では、位置（１）、（２）のそれぞれ）における温度上昇は、実験その１、その２に比較して少なく、比較例のように誘導体５を用いない場合には、加熱対象での温度上昇が不十分である。加えて、加熱対象以外との温度上昇の差分も小さく、加熱対象以外への加熱ストレスも大きいことが分かる。
【０１６５】
この比較例と実験その１、実験その２を比較することでも、実施の形態１、２で説明した誘導体５の優位性が分かる。すなわち、加熱対象のみを集中的に加熱できると共に加熱対象以外への加熱ストレスを低減できることである。
【０１６６】
以上、実施の形態１〜３で説明された誘導体および温熱治療装置は、本発明の趣旨を説明する一例であり、本発明の趣旨を逸脱しない範囲での変形や改造を含む。
【符号の説明】
【０１６７】
１    温熱治療装置
２    人体
３    電極
３Ａ    第１電極
３Ｂ    第２電極
４  食塩水ボーラス
４Ａ    第１食塩水ボーラス
４Ｂ    第２食塩水ボーラス
５  誘導体
５１Ａ    第１誘導部材
５１Ｂ    第２誘導部材
６  冷却用食塩水ボーラス
６Ａ    第１冷却用食塩水ボーラス
６Ｂ    第２冷却用食塩水ボーラス
７、７Ａ，７Ｂ    絶縁領域
７１    絶縁部材
８、８Ａ，８Ｂ    非絶縁領域
１０    癌組織
２０    制御部
２００    患者
【図１６】
2012223302.tif 000003
【図１９】
2012223302.tif 000004
【図２２】
2012223302.tif 000005
【図１】
2012223302.tif 000006
【図２】
2012223302.tif 000007
【図３】
2012223302.tif 000008
【図４】
2012223302.tif 000009
【図５】
2012223302.tif 000010
【図６】
2012223302.tif 000011
【図７】
2012223302.tif 000012
【図８】
2012223302.tif 000013
【図９】
2012223302.tif 000014
【図１０】
2012223302.tif 000015
【図１１】
2012223302.tif 000016
【図１２】
2012223302.tif 000017
【図１３】
2012223302.tif 000018
【図１４】
2012223302.tif 000019
【図１５】
2012223302.tif 000020
【図１７】
2012223302.tif 000021
【図１８】
2012223302.tif 000022
【図２０】
2012223302.tif 000023
【図２１】
2012223302.tif 000024